【事件の表示】
　特願２００７−５０６７７０「マルチメディアデータを検索するためのデバイスおよび方法」拒絶査定不服審判事件〔平成１７年１０月２０日国際公開、ＷＯ２００５／０９８６９０、平成１９年１１月　８日国内公表、特表２００７−５３１９４７〕について、次のとおり審決する。
【結　論】
　本件審判の請求は、成り立たない。
【理　由】
第１　手続きの経緯・本願発明
　本願は、平成１７年３月３１日（優先権主張２００４年４月６日、欧州特許庁（ＥＰ）、２００４年７月１日、欧州特許庁（ＥＰ））を国際出願日とする出願であり、平成２２年１１月５日付けで拒絶理由が通知され、それに対して平成２３年４月１２日付けで意見書とともに手続補正書が提出されたが、同年７月２１日付けで拒絶査定がなされ、それに対して同年１１月１０日に拒絶査定不服の審判請求がなされたものであって、その請求項１に係る発明は、平成２３年４月１２日付けの手続補正書により補正された明細書及び図面の記載からみて、その特許請求の範囲の請求項１に記載された次のとおりのものと認める。（以下、「本願発明」という。）
　　　
「マルチメディアデータを検索するためのデバイスであって、
　アクティブコンポーネントおよび日付が関連付けられたマルチメディアデータを格納する記憶媒体と、
　前記記憶媒体に時間情報を送信するように構成されたマルチメディア資産管理システムと、
　を備え、
　前記アクティブコンポーネントのうちの幾つかは、前記マルチメディア資産管理システムによって送信された前記時間情報と前記アクティブコンポーネントと関連付けられた前記マルチメディアデータの日付との両方を処理し、この処理に基づいて、前記アクティブコンポーネントと関連付けされたマルチメディアデータをユーザに気付かせるアクションをトリガするように構成される、
ことを特徴とするデバイス。」
　
第２　引用文献
　原査定の拒絶の理由に引用された特開２０００−４１２０８号公報（以下、「引用文献」という。）には、図面とともに次の記載がある。
（ア）「【０００７】この画像表示装置によれば、電源の投入時には、異年同日付あるいはこの日付に近い所定期間内の日付の画像が、初期画像として画像表示部に自動的に表示される。従って、過去の画像を確認したり、撮影画像を日記帳代わりに振り返って見るような場合に、電源投入後の画像表示のための初期操作は不要となる。
【０００８】特に、複数年にわたる画像が１枚の記録媒体に記録されているような場合には、異年同日付あるいはこの日付に近い所定期間内の日付の画像がより多く表示され、効率的に画像確認等を行うことができる。
【０００９】また、初期画像の表示の有無を選択する選択手段が設けられている場合には、初期画像を表示しない通常の使い方もでき、使い方の自由度が増大する。
【００１０】また、該当する日付の画像を検出できなかった場合には、最新の画像を初期画像として表示する構成とすることにより、最新画像の内容を確認でき、しかも異年同日付あるいはこの日付に近い所定期間内の日付の画像が存在しないことを間接的に知ることができる。」（段落【０００７】〜【００１０】）
　　　
（イ）「【００１１】
【発明の実施の形態】図１は、本発明の一実施形態である画像表示装置に光磁気ディスクドライブ１３を接続した状態の正面図、図２は図１の画像表示装置を含む画像検索システムの構成図である。
【００１２】これらの図において、１は画像表示装置本体であり、該画像表示装置本体１の側面部には、メモリカードスロット９が設けられ、このメモリカードスロット９に、デジタルカメラ等で撮影した画像が記録されている記録媒体としてのメモリカード８が挿脱可能に装着されるようになっている。また、画像表示装置本体１の側面部にはさらに、２つのＵＳＢ（Ｕｎｉｖｅｒｓａｌ　Ｓｅｒｉａｌ　Ｂｕｓ）ポート１０が設けられ、これらポートにプリンタ１１とパーソナルコンピュータ１５が接続されている。
【００１３】画像表示装置本体１には、さらに、記録媒体としての光磁気ディスク１４を駆動するための光磁気ディスクドライブ１３が光磁気ディスクインターフェース１２を介して直接接続されるとともに、前記光磁気ディスクドライブ１３に光磁気ディスク１４が着脱自在に装着されている。
【００１４】また、画像表示装置本体１の前面には、メモリカード８や光磁気ディスク１４に日付と共に記録されている画像を表示する液晶表示部６が設けられるとともに、操作スイッチ群からなる操作部７が設けられている。この操作部７は、液晶表示部６の上部横に設けられた押しボタン式の電源スイッチ７１と、液晶表示装置６の下方に設けられた、記録画像を再生する際のコマ送り用の押しボタン式アクセススイッチ７２〜７５と、その横に設けられたモード切替スイッチ７６と、その下方のエンターキー７７とを含む。」（段落【００１１】〜【００１４】）　　
　　　　
（ウ）「【００１９】画像表示装置本体１の制御は、データ処理部４内のＣＰＵがＲＯＭ２に格納されているプログラムを読み出し、メモリカードスロット９、ＵＳＢポート１０、光磁気ディスクインターフェース１２、グラフィックコントローラとＶＲＡＭ ５、液晶表示部６、操作部７を制御することにより行われる。データ処理部４には、バックアップ電池１７で駆動される時計回路（図３ではＲＴＣ（リアルタイムクロック）と記している）１６が接続されており、この時計回路１６によって現在の日付を認識可能となっている。また、フラッシュメモリ１８には、光磁気ディスクへの転送結果が記録されている。
【００２０】画像表示装置本体１は、電源部１９の電池によって電力が供給されるほか、図示しないＡＣアダプタによる電力供給も可能になっている。
【００２１】メモリカード８内のデータ配列について図４（ａ）により説明する。デジタルカメラによって記録された画像は８１〜８５で示す４０コマからなり、各コマはタグ（見出し）情報の部分と、ＪＰＥＧ（Joint　Photographic　Experts　Group）形式で圧縮された高解像度の画像データ（６４０×４８０画素）と、縮小表示用の画像データ（８０×６０画素）（サムネイル画像データ）が記録されている。各コマ単位で、たとえばＥＸＩＦ形式の画像ファイルとして扱うことが可能である。タグには、撮影日、撮影時のフラッシュのオン／オフのデータ等が格納されている。
【００２２】光磁気ディスク１４内のデータ配列について図４（ｂ）により説明する。光磁気ディスク１４には、メモリカード８の画像データ及びタグ情報を転送して記録することができる。記録順に、Ｎｏ１、 Ｎｏ２、 Ｎｏ３、・・・、Ｎｏｎ、Ｎｏ３０００の画像ファイルの番号が付与される。各ファイルは、メモリカード８と同様に、高解像度画像データと、縮小表示用の低解像度用の画像データ（サムネイル画像データ）と、タグ情報が記録される。また、各画像ファイルを管理するためのファイル管理部があり、ここには、全体のディレクトリ構造やファイルの番号とファイルの名称、ファイルとディレクトリとを対応づけるためのテーブルが記録されている。」（段落【００１９】〜【００２２】）
    
（エ）「【００２４】ステップ（以下ステップをＳという）１で電源スイッチ７１がＯＮされる（ＹＥＳ）と、Ｓ２で、モード切替スイッチ７２が初期画面モードになっているか否かを判別する。スイッチ７２が通常モード側の場合（Ｓ２にてＮＯ）は、Ｓ１１の通常再生処理に移行する。この通常再生処理は、メモリカード８に記録されている画像を操作部７に設けられたアクセススイッチ（Ｕｐ／Ｄｏｗｎスイッチ）７２〜７５により順次再生し、光磁気ディスク１３に転送する処理である。
【００２５】初期画面モードであれば（Ｓ２にてＹＥＳ）、Ｓ３で、データ処理部４は時計回路１６により現在の日付けを認識したのち、Ｓ４で、順次光磁気ディスク１４の画像ファイルにアクセスし、Ｓ５で、タグ情報として記録されている画像の撮影日付と現在の日付を比較し、一致する画像が存在すれば（Ｓ５にてＹＥＳ）、Ｓ１２でその画像を液晶表示部６に表示する。この操作を全ファイルの検索が終了するまで行う。
【００２６】全ファイルをアクセスしても一致するものがなければ（Ｓ６にてＹＥＳ）、Ｓ７にて、再び光磁気ディスク１３の画像ファイルに順次アクセスする。そして、Ｓ８で、現在の日付の前後１週間に相当する日付を有する画像を検索し、該当するものが存在すれば（Ｓ８にてＹＥＳ）、Ｓ１２でその画像を液晶表示部６に表示する。この操作を全ファイルの検索が終了するまで行う。　　　　　　　　　　　　　　　　　　　　　　　　　
【００２７】それでも該当する画像がなければ（Ｓ９にてＹＥＳ）、Ｓ１０で最新画像（日付の一番新しいもの）を液晶表示部６に表示する。
【００２８】こうして検索された画像の液晶表示部６における表示例を図６に示す。現在の日付を１９９８年４月１日としている。同図（ａ）は異年同日付の１枚の画像１００が液晶表示部６に再生表示された例であり、同図（ｂ）は異年同日付の画像１００が複数枚記録されていた場合の表示例、同図（ｃ）は異年同日付の前後１週間に相当する日付を有する複数の画像１００をマルチ画面で表示した例である。」（段落【００２４】〜【００２８】）
　　　　
　以上の記載によれば、この引用文献には以下のような発明（以下、「引用発明」という。）が開示されていると認められる。
「画像表示装置本体１の前面には、メモリカード８や光磁気ディスク１４に日付と共に記録されている画像を表示する液晶表示部６と、操作スイッチ群からなる操作部７が設けられ、操作部７は、液晶表示部６の上部横に設けられた押しボタン式の電源スイッチ７１と、液晶表示装置６の下方に設けられた、記録画像を再生する際のコマ送り用の押しボタン式アクセススイッチ７２〜７５と、その横に設けられたモード切替スイッチ７６と、その下方のエンターキー７７とを含み、
　画像表示装置本体１の制御は、データ処理部４内のＣＰＵがＲＯＭ２に格納されているプログラムを読み出し、メモリカードスロット９、ＵＳＢポート１０、光磁気ディスクインターフェース１２、グラフィックコントローラとＶＲＡＭ ５、液晶表示部６、操作部７を制御することにより行われ、データ処理部４には、バックアップ電池１７で駆動される時計回路（ＲＴＣ（リアルタイムクロック））１６が接続されており、
　光磁気ディスク１４には、メモリカード８の画像データ及びタグ情報を転送して記録することができ、記録順に、Ｎｏ１、 Ｎｏ２、 Ｎｏ３、・・・、Ｎｏｎ、Ｎｏ３０００の画像ファイルの番号が付与され、各ファイルは、メモリカード８と同様に、高解像度画像データと、縮小表示用の低解像度用の画像データ（サムネイル画像データ）と、撮影日、撮影時のフラッシュのオン／オフのデータ等が格納されているタグ情報が記録され、各画像ファイルを管理するためのファイル管理部があり、ここには、全体のディレクトリ構造やファイルの番号とファイルの名称、ファイルとディレクトリとを対応づけるためのテーブルが記録されており、
　電源スイッチ７１がＯＮされると、モード切替スイッチ７２が初期画面モードになっているか否かを判別し、初期画面モードであれば、データ処理部４は時計回路１６により現在の日付けを認識したのち、順次光磁気ディスク１４の画像ファイルにアクセスし、タグ情報として記録されている画像の撮影日付と現在の日付を比較し、一致する画像が存在すれば、その画像を液晶表示部６に表示し、この操作を全ファイルの検索が終了するまで行い、全ファイルをアクセスしても一致するものがなければ、再び光磁気ディスク１３の画像ファイルに順次アクセスし、現在の日付の前後１週間に相当する日付を有する画像を検索し、該当するものが存在すれば、その画像を液晶表示部６に表示し、この操作を全ファイルの検索が終了するまで行い、それでも該当する画像がなければ、最新画像（日付の一番新しいもの）を液晶表示部６に表示し、
　異年同日付あるいはこの日付に近い所定期間内の日付の画像がより多く表示され、効率的に画像確認等を行うことができ、また、該当する日付の画像を検出できなかった場合には、最新画像の内容を確認でき、しかも異年同日付あるいはこの日付に近い所定期間内の日付の画像が存在しないことを間接的に知ることができることを特徴とする画像表示装置に光磁気ディスクドライブ１３を接続した画像検索システム。」
　　　　
第３　対　比
　本願発明と引用発明とを対比する。
（ア）本願明細書段落【００２９】には、「各マルチメディア要素は、幾つかのファイルから成る。幾つかのファイルはマルチメディアコンテンツ自体を含む。これは例えばビデオ、静止画像または音声である。」と記載されており、本願発明の「マルチメディアデータ」は静止画像データを含むものである。
　したがって、引用発明の「画像データ」は、本願発明の「マルチメディアデータ」に相当するといえる。
　　　　
（イ）引用発明の「画像表示装置に光磁気ディスクドライブ１３を接続した画像検索システム」は、本願発明の「マルチメディアデータを検索するデバイス」に相当するといえる。
　　
（ウ）引用発明のタグ情報として記録されている「画像の撮影日付」は、本願発明の関連付けされたマルチメディアデータの「日付」に相当する。
　　
（エ）引用発明の光磁気ディスク１４に記録されている各画像ファイルには、画像データに「画像の撮影日付」が記録されている「タグ情報」が付けられているから、引用発明の「光磁気ディスク１４」は、本願発明の「アクティブコンポーネントおよび日付が関連付けられたマルチメディアデータを格納する記憶媒体」と「日付が関連付けられたマルチメディアデータを格納する記憶媒体」である点で共通するといえる。
　　
（オ）引用発明は、データ処理部４は時計回路１６により現在の日付けを認識しているから、引用発明の「時計回路１６」はデータ処理部４に現在の日付を送信しているといえ、本願発明の「前記記憶媒体に時間情報を送信するように構成されたマルチメディア資産管理システム」と「時間情報を送信するように構成された手段」の点で共通するといえる。
　　
（カ）引用発明は、「画像表示装置本体１の制御は、データ処理部４内のＣＰＵがＲＯＭ２に格納されているプログラムを読み出し、メモリカードスロット９、ＵＳＢポート１０、光磁気ディスクインターフェース１２、グラフィックコントローラとＶＲＡＭ ５、液晶表示部６、操作部７を制御することにより行われ」るから、引用発明の「ＲＯＭ２に格納されているプログラム」は、本願発明の「アクティブコンポーネント」と「マルチメディアデータを検索するプログラム」である点で共通するといえる。
　　
（キ）引用発明の「データ処理部４は時計回路１６により現在の日付けを認識したのち、順次光磁気ディスク１４の画像ファイルにアクセスし、タグ情報として記録されている画像の撮影日付と現在の日付を比較し、一致する画像が存在すれば、その画像を液晶表示部６に表示し、この操作を全ファイルの検索が終了するまで行い、全ファイルをアクセスしても一致するものがなければ、再び光磁気ディスク１３の画像ファイルに順次アクセスし、現在の日付の前後１週間に相当する日付を有する画像を検索」する構成は、本願発明の「前記アクティブコンポーネントのうちの幾つかは、前記マルチメディア資産管理システムによって送信された前記時間情報と前記アクティブコンポーネントと関連付けられた前記マルチメディアデータの日付との両方を処理」する点と「マルチメディアデータを検索するプログラムは、送信された前記時間情報と前記マルチメディアデータを検索するプログラムと関連付けられた前記マルチメディアデータの日付との両方を処理」する点で共通するといえる。
　
（ク）本願の特許請求の範囲【請求項３】には、「前記アクションは、マルチメディアデータを再生すること、または表示することである」と記載されており、本願発明の「関連付けされたマルチメディアデータをユーザに気付かせるアクション」は、マルチメディアデータを表示することを含むものである。
　したがって、引用発明の「タグ情報として記録されている画像の撮影日付と現在の日付を比較し、一致する画像が存在すれば、その画像を液晶表示部６に表示し、この操作を全ファイルの検索が終了するまで行い、全ファイルをアクセスしても一致するものがなければ、再び光磁気ディスク１３の画像ファイルに順次アクセスし、現在の日付の前後１週間に相当する日付を有する画像を検索し、該当するものが存在すれば、その画像を液晶表示部６に表示し、この操作を全ファイルの検索が終了するまで行い、それでも該当する画像がなければ、最新画像（日付の一番新しいもの）を液晶表示部６に表示」する構成は、本願発明の「この処理に基づいて、前記アクティブコンポーネントと関連付けされたマルチメディアデータをユーザに気付かせるアクションをトリガする」点と「この処理に基づいて、前記マルチメディアデータを検索するプログラムと関連付けされたマルチメディアデータをユーザに気付かせるアクションをトリガする」点で共通するといえる。
　　
　したがって、本願発明の用語を用いて表現すると両者は、
「マルチメディアデータを検索するためのデバイスであって、
　日付が関連付けられたマルチメディアデータを格納する記憶媒体と、
　時間情報を送信するように構成された手段と、
　を備え、
　マルチメディアデータを検索するプログラムは、前記手段によって送信された前記時間情報と前記マルチメディアデータを検索するプログラムと関連付けられた前記マルチメディアデータの日付との両方を処理し、この処理に基づいて、前記マルチメディアデータを検索するプログラムと関連付けされたマルチメディアデータをユーザに気付かせるアクションをトリガするように構成される、
ことを特徴とするデバイス。」
で一致するものであり、次の（１）、（２）の点で相違している。
　　　　
（１）本願発明は、「アクティブコンポーネント」を「マルチメディアデータを格納する記憶媒体」に格納するのに対し、引用発明は、データ処理部４内のＣＰＵが読み出すプログラムは、ＲＯＭ２に格納されている点。
　　　
（２）本願発明は、時間情報を送信するように構成された手段が、「前記記憶媒体に時間情報を送信するように構成されたマルチメディア資産管理システム」であるのに対し、引用発明は、「データ処理部４」に現在の日付を送信する「時計回路１６」である点。
　　　
第４　当審の判断
・相違点（１）について
　記録手段にマルチメディアデータと当該マルチメディアデータを制御するスクリプトファイルやエージェント等を格納することは、本願優先権主張の日前周知の技術である（例えば、特開平１０−１３４０３０号公報段落【００１５】〜【００１９】「記憶手段１は、マルチメディアデータの組合せ方法を含むプレゼンテーションのシナリオを記述したスクリプトファイルと、そのスクリプトファイルから生成される実行用オブジェクトと、その実行用オブジェクトに対応するマルチメディアデータとを記憶する。・・・中略・・・実行手段３は、実行用オブジェクトを起動することで、それに対応付けられたマルチメディアデータを記憶手段１から検索し、シナリオ通りに表示装置等に表示する。」の記載、特開２００２−１０９２５５号公報段落【００１５】〜【００１６】「図２（ａ）および（ｂ）には、制御モジュール付きコンテンツ３０および制御モジュール付きライセンス４０が図示されている。これらの制御モジュール付きコンテンツ３０および制御モジュール付きライセンス４０は、記録媒体、インターネット等を介してコンテンツ提供者から利用者へ提供される。【００１６】図２（ａ）に示した制御モジュール付きコンテンツ３０は、制御モジュール３１およびコンテンツ３２から構成されている。この制御モジュール３１は、コンテンツ３２、制御モジュール４１（図２（ｂ）参照）、外部のモジュール（図示略）を動的に制御するものである。また、制御モジュール３１は、実行形式のファイル（exeファイル）であり、実行命令により起動される。従って、制御モジュール３１は、コンパイルする必要がない。コンテンツ３２は、音楽、映像、音声等の情報である。」、段落【００１９】「図３（ａ）に示した制御モジュール付きコンテンツ５０は、制御モジュール５１およびコンテンツ５２から構成されている。この制御モジュール５１は、三種類の第１の制御モジュール５１1 〜第３の制御モジュール５１3 から構成されており、コンテンツ５２、制御モジュール６１（図３（ｂ）参照）、外部のモジュール（図示略）を動的に制御するものである。これらの第１の制御モジュール５１1 〜第３の制御モジュール５１3 は、後述する第１の制御モジュール６１1 〜第３の制御モジュール６１3 との組み合わせ（例えば、第１の制御モジュール５１1 と第２の制御モジュール６１2 ）に応じた複数種類の制御を実現するためのものである。コンテンツ５２は、音楽、映像、音声等の情報である。」の記載、国際公開第０３／０３２１９５号第１２頁第２７行〜第３５行の記載（パテントファミリーである特表２００５−５０５０８０号公報の記載に基づく当審訳：メモリモジュール１００は、本質的にマルチメディアデータベース１０１および専用演算エージェントのセット１０２を備えている。アセンブリ１０２は、構成要素に索引付けし、保管する少なくとも１つのエージェント１２１と、構成要素をサーチするサーチエージェント１２２と、ドキュメントの構造に関する情報を管理するエージェント１２３を備えている。各エージェント１２１、１２２は特定のタイプのドキュメントの管理専用である。）参照。）。
　したがって、上記周知技術を適用することより、引用発明において、マルチメディアデータを検索するプログラムを「マルチメディアデータを格納する記憶媒体」に格納する「アクティブコンポーネント」とすることは、当業者が容易になし得ることある。
　　　　
・相違点（２）について
　外部の管理システムから時間情報を得るようにすることは、当業者が必要に応じて適宜なし得る設計事項にすぎず、「マルチメディア資産管理システム」が時間情報を送信するようにすることは、当業者が容易になし得ることである。
　また、本願発明は、「前記記憶媒体」に時間情報を送信するようにしているが、記憶媒体に格納されている「アクティブコンポーネント」はスクリプトを含むファイル等であり、このスクリプトを実行するのは、「例えばＪＡＶＡ実行環境等のマルチメディアデータと関連したスクリプトに対する実行プラットフォーム」（本願明細書段落【００３３】の記載参照。）であるから、本願発明の「前記記憶媒体」に時間情報を送信するとは、正確には、実行プラットフォームに対し時間情報を送信するものであるといえ、引用発明の「データ処理部４」は、ＲＯＭ２に格納されているプログラムに対する実行プラットフォームに相当するものであって、引用発明は時間情報を「データ処理部４」に送信するものであるから、この点に格別困難性は認められない。
　
　そして、本願発明の作用効果も、引用発明及び周知技術から、当業者であれば予想できる範囲内のものである。
　　　　
第５　むすび
　以上のとおり、本願発明は、引用発明及び周知技術に基づいて当業者が容易に発明をすることができたものであるから、特許法第２９条第２項の規定により特許を受けることができない。
　よって、結論のとおり審決する。